【手続補正書】
【提出日】平成15年11月4日(2003.11.4)
【手続補正１】
【補正対象書類名】特許請求の範囲
【補正対象項目名】全文
【補正方法】変更
【補正の内容】
【特許請求の範囲】
【請求項１】
ベアリング上で回転するハブを持ち、回転部材に連結されたスピンドルと、このスピンドルに連結された遠隔測定アッセンブリとの組み合わせにおいて、前記遠隔測定アッセンブリは、
前記ハブにこのハブとともに回転するように連結された無線伝送器、
前記伝送器に無線で組合わされた受信アンテナ、及び
前記受信アンテナに対する前記無線伝送器の回転を案内するため、前記無線伝送器及び前記受信アンテナに連結されており、前記スピンドル及び前記回転部材のうちの少なくとも一方が通る中央穴を持つ案内システムを含む、組み合わせ。
【請求項２】
請求項１に記載の組み合わせにおいて、ロータハウジング及びステータハウジングに作動的に連結された角度検出装置を更に含む、組み合わせ。
【請求項３】
請求項１又は２に記載の組み合わせにおいて、前記受信アンテナは、前記スピンドルのスピンドル軸線を中心として配置された円弧状アッセンブリを含む、組み合わせ。
【請求項４】
請求項１、２、又は３に記載の組み合わせにおいて、前記伝送器は、前記受信アンテナと近接して配置されており、前記受信アンテナと同様の円形経路で前記伝送アンテナに対して並進及び前記スピンドル軸線を中心とした回転以外の回転のうちの少なくとも一方につき静止状に保持された円形経路内を移動する、組み合わせ。
【請求項５】
請求項４に記載の組み合わせにおいて、前記ハブにこのハブとともに回転するように連結された、前記伝送器を支持するロータハウジング、
前記受信アンテナを支持するステータハウジング、及び
前記ステータハウジングの回転を阻止するため、前記ステータハウジング及び前記スピンドルの非回転エレメントに連結された連結アッセンブリを更に含む、組み合わせ。
【請求項６】
請求項１乃至５のうちのいずれか一項に記載の組み合わせにおいて、前記スピンドルはリムを含み、前記遠隔測定アッセンブリは前記リムから間隔が隔てられている、組み合わせ。
【請求項７】
請求項１乃至６のうちのいずれか一項に記載の組み合わせにおいて、前記スピンドルはスピンドルベアリング−ホイールアッセンブリを含み、前記遠隔測定アッセンブリは前記スピンドルベアリングと同心をなして間隔が隔てられている、組み合わせ。
【請求項８】
請求項１乃至７のうちのいずれか一項に記載の組み合わせにおいて、前記ハブにこのハブとともに回転するように取り付けられたトランスジューサーを更に有し、前記遠隔測定アッセンブリは前記ハブと前記トランスジューサーとの間に配置されている、組み合わせ。
【請求項９】
回転部材に連結されたスピンドルで使用するためのスピンドル取り付け式遠隔測定アッセンブリにおいて、
無線伝送器、
前記伝送器とともに作動できる受信アンテナ、
前記受信アンテナを支持する第１ハウジング、
軸線を中心として前記第１ハウジングに対して回転できる、前記無線伝送器を支持する第２ハウジング、及び
前記第２ハウジングの前記第１ハウジングに対する位置を維持し且つ回転を案内するため、前記第１ハウジング及び前記第２ハウジングに連結された案内システムであって、この案内システム及びハウジングには、前記スピンドル及び前記回転部材のうちの少なくとも一方を通すことができる穴が設けられている、遠隔測定アッセンブリ。
【請求項１０】
請求項９に記載の遠隔測定システムにおいて、ロータハウジング及びステータハウジングに作動的に連結された角度検出装置を更に含む、遠隔測定アッセンブリ。
【請求項１１】
請求項９又は１０に記載の遠隔測定アッセンブリにおいて、前記案内システムは、ベアリングパッドと案内溝を持つベアリング軌道とを含み、前記ベアリングパッドは、前記第２ハウジングの位置を前記第１ハウジングに対して維持し且つ前記第２ハウジングが前記第１ハウジングに対して回転できるように、前記案内溝内に配置されている、遠隔測定アッセンブリ。
【請求項１２】
請求項９又は１０に記載の遠隔測定アッセンブリにおいて、前記案内システムは、前記第１及び第２のハウジングに連結されたボールベアリングを含む、遠隔測定アッセンブリ。
【請求項１３】
請求項９乃至１２のうちのいずれか一項に記載の遠隔測定アッセンブリにおいて、前記第１及び第２のハウジングは環状リングを含む、遠隔測定アッセンブリ。
【請求項１４】
請求項１３に記載の遠隔測定アッセンブリにおいて、前記第１ハウジングに固定されており、前記スピンドルの非回転エレメントに取り付けることができる連結アッセンブリを更に含む、遠隔測定アッセンブリ。
【請求項１５】
スピンドル用遠隔測定システムにおいて、
前記スピンドルに取り付けることができるハブアダプタ、
前記ハブアダプタに取り付けることができるトランスジューサー、
前記ハブアダプタに面する前記トランスジューサーの側部に取り付けることができる遠隔測定アッセンブリであって、受信アンテナを支持するステータ部分、前記トランスジューサー及び前記ハブアダプタのうちの少なくとも一方に固定された、軸線を中心として前記ステータ部分に対して回転自在のロータ部分、及び前記ステータ部分に対する前記ロータ部分の回転を案内するため、前記ステータ部分及び前記ロータ部分に連結された案内システムを含む、遠隔測定アッセンブリ、及び
前記ステータ部分に組合わされた無線伝送器であって、前記トランスジューサーから信号を受け取り、前記受信アンテナとともに作動する伝送アンテナを有する無線伝送器を含む、遠隔測定システム。
【請求項１６】
請求項１５に記載の遠隔測定システムにおいて、前記ロータ部分及び前記ステータ部分に作動的に連結された角度検出装置を更に含む、遠隔測定システム。
【請求項１７】
請求項１５又は１６に記載の遠隔測定システムにおいて、前記ロータ部分は、前記ステータ部分と前記トランスジューサーとの間に配置されている、遠隔測定システム。
【請求項１８】
請求項１５、１６、又は１７に記載の遠隔測定システムにおいて、前記ロータ部分は前記ステータ部分に面しており、実質的に前記ステータ部分と同様な円形の経路内を回転できる、遠隔測定システム。
【請求項１９】
請求項１５乃至１９のうちのいずれか一項に記載の遠隔測定システムにおいて、前記無線伝送器に電力を提供する無線電力カップリングを更に含み、この無線電力カップリングは、前記ステータ部分に取り付けられた第１コイル及び前記ロータ部分に取り付けられた第２コイルを含む、遠隔測定システム。
【請求項２０】
ベアリング上で回転するハブを有し、回転部材に連結されたスピンドルと、このスピンドルに連結された遠隔測定アッセンブリとの組み合わせにおいて、前記遠隔測定アッセンブリは、
データ受信機を持つ第１ハウジング、
前記データ受信機に組合わされたデータ伝送器を持つ第２ハウジング、
前記第２ハウジングを前記第１ハウジングに対して案内するための手段、及び
前記第１ハウジングを前記スピンドルの非回転エレメントに連結するための手段を含む、遠隔測定システム。
【請求項２１】
請求項２０に記載の遠隔測定システムにおいて、
前記第１ハウジングに対する前記第２ハウジングの角度位置を検出するための手段を更に含む、遠隔測定システム。
【請求項２２】
請求項２０又は２１に記載の遠隔測定システムにおいて、
前記第１ハウジングが前記第２ハウジングに対して並進移動しないようにするための手段、及び
前記第１ハウジングが前記第２ハウジングに対し、前記案内手段によって許容された回転軸線以外の全ての軸線を中心として回転移動しないようにするための手段を含む、遠隔測定システム。
【請求項２３】
請求項２０、２１、又は２２に記載の遠隔測定システムにおいて、
前記データ受信機と前記データ伝送器との間の隙間を維持するための手段を更に有する、遠隔測定システム。